(57)【要約】  間欠受信（ＤＲＸ）のための方法が開示される。上記方法は、ユーザ機器（ＵＥ）の受信回路によって、ＤＲＸ開始オフセット（ｄｒｘ−ｓｔａｒｔ  Ｏｆｆｓｅｔ）およびＤＲＸスロットオフセット（ｄｒｘ−Ｓｌｏｔ  Ｏｆｆｓｅｔ）を有する無線リソース制御（ＲＲＣ）メッセージを受信するステップと、上記ＵＥの処理回路によって、上記ｄｒｘ−ｓｔａｒｔ  Ｏｆｆｓｅｔに基づいて開始サブフレームを決定するステップと、上記処理回路によって、上記ｄｒｘ−Ｓｌｏｔ  Ｏｆｆｓｅｔに基づいて上記開始サブフレーム内のＤＲＸオン持続時間タイマー（ｄｒｘ−ｏｎＤｕｒａｔｉｏｎＴｉｍｅｒ）の開始時間を決定するステップと、を含む。
2021500777.tif 000002
【特許請求の範囲】
【請求項１】
ユーザ機器（ＵＥ）の受信回路によって、ＤＲＸ開始オフセット（ｄｒｘ−Ｓｔａｒｔ  Ｏｆｆｓｅｔ）およびＤＲＸスロットオフセット（ｄｒｘ−Ｓｌｏｔ  Ｏｆｆｓｅｔ）を有する無線リソース制御（ＲＲＣ）メッセージを受信するステップと、
上記ＵＥの処理回路によって、上記ｄｒｘ−ＳｔａｒｔＯｆｆｓｅｔに基づいて開始サブフレームを決定するステップと、
上記処理回路によって、上記ｄｒｘ−ＳｌｏｔＯｆｆｓｅｔに基づいて上記開始サブフレーム内のＤＲＸオン持続時間タイマー（ｄｒｘ−ｏｎＤｕｒａｔｉｏｎＴｉｍｅｒ）の開始時間を決定するステップと、を備える間欠受信（ＤＲＸ）のための方法。
【請求項２】
上記受信回路によって、システムフレーム番号（ＳＦＮ）と短ＤＲＸサイクル（ｄｒｘ−ＳｈｏｒｔＣｙｃｌｅ）とを受信するステップと、
上記処理回路によって、サブフレーム番号を決定するステップと、
上記処理回路によって、［（ＳＦＮ×１０）＋サブフレーム番号］ｍｏｄｕｌｏ（ｄｒｘ−ＳｈｏｒｔＣｙｃｌｅ）＝（ｄｒｘ−ＳｔａｒｔＯｆｆｓｅｔ）ｍｏｄｕｌｏ（ｄｒｘ−ＳｈｏｒｔＣｙｃｌｅ）のときに、上記開始サブフレームの開始からの上記ｄｒｘ−ＳｌｏｔＯｆｆｓｅｔの後に上記ｄｒｘ−ｏｎＤｕｒａｔｉｏｎＴｉｍｅｒを開始するステップと、をさらに備える、請求項１に記載の方法。
【請求項３】
上記受信回路によって、システムフレーム番号（ＳＦＮ）と長ＤＲＸサイクル（ｄｒｘ−ＬｏｎｇＣｙｃｌｅ）とを受信するステップと、
上記処理回路によって、サブフレーム番号を決定するステップと、
上記処理回路によって、［（ＳＦＮ×１０）＋サブフレーム番号］ｍｏｄｕｌｏ（ｄｒｘ−ＬｏｎｇＣｙｃｌｅ）＝ｄｒｘ−ＳｔａｒｔＯｆｆｓｅｔのときに、上記開始サブフレームの開始からの上記ｄｒｘ−ＳｌｏｔＯｆｆｓｅｔの後に上記ｄｒｘ−ｏｎＤｕｒａｔｉｏｎＴｉｍｅｒを開始するステップと、をさらに備える、請求項１に記載の方法。
【請求項４】
上記ｄｒｘ−ＳｌｏｔＯｆｆｓｅｔは、１つ以上のスロット、上記１つ以上のスロットの一部に対応する実際の時間値を有する、請求項１に記載の方法。
【請求項５】
上記ｄｒｘ−ＳｌｏｔＯｆｆｓｅｔは、ミリ秒あるいはミリ秒の一部における実際の時間単位を有する、請求項１に記載の方法。
【請求項６】
上記受信回路によって、物理的ダウンリンク制御チャネル（ＰＤＣＣＨ）を介して新しい送信の指示を受信するステップと、
上記処理回路によって、上記ＰＤＣＣＨの受信終了後の一番目のシンボルにおいてＤＲＸ非アクティブタイマー（ｄｒｘ−Ｉｎａｃｔｉｖｉｔｙ  Ｔｉｍｅｒ）を開始または再開するステップと、をさらに備える、請求項１に記載の方法。
【請求項７】
ＤＲＸ開始オフセット（ｄｒｘ−Ｓｔａｒｔ  Ｏｆｆｓｅｔ）およびＤＲＸスロットオフセット（ｄｒｘ−Ｓｌｏｔ  Ｏｆｆｓｅｔ）を有する無線リソース制御（ＲＲＣ）メッセージを受信するように構成された受信回路と、
上記ｄｒｘ−ＳｔａｒｔＯｆｆｓｅｔに基づいて開始サブフレームを決定し、
上記ｄｒｘ−ＳｌｏｔＯｆｆｓｅｔに基づいて上記開始サブフレーム内のＤＲＸオン持続時間タイマー（ｄｒｘ−ｏｎＤｕｒａｔｉｏｎＴｉｍｅｒ）の開始時間を決定するように構成された処理回路と、を備えるユーザ機器（ＵＥ）。
【請求項８】
上記受信回路はさらに、システムフレーム番号（ＳＦＮ）と短ＤＲＸサイクル（ｄｒｘ−ＳｈｏｒｔＣｙｃｌｅ）とを受信するように構成され、
上記処理回路はさらに、
サブフレーム番号を決定し、
［（ＳＦＮ×１０）＋サブフレーム番号］ｍｏｄｕｌｏ（ｄｒｘ−ＳｈｏｒｔＣｙｃｌｅ）＝（ｄｒｘ−ＳｔａｒｔＯｆｆｓｅｔ）ｍｏｄｕｌｏ（ｄｒｘ−ＳｈｏｒｔＣｙｃｌｅ）のときに、上記開始サブフレームの開始からの上記ｄｒｘ−ＳｌｏｔＯｆｆｓｅｔの後に上記ｄｒｘ−ｏｎＤｕｒａｔｉｏｎＴｉｍｅｒを開始するように構成される、請求項７に記載のＵＥ。
【請求項９】
上記受信回路はさらに、システムフレーム番号（ＳＦＮ）と長ＤＲＸサイクル（ｄｒｘ−ＬｏｎｇＣｙｃｌｅ）とを受信するように構成され、
上記処理回路はさらに、
サブフレーム番号を決定し、
［（ＳＦＮ×１０）＋サブフレーム番号］ｍｏｄｕｌｏ（ｄｒｘ−ＬｏｎｇＣｙｃｌｅ）＝ｄｒｘ−ＳｔａｒｔＯｆｆｓｅｔのときに、上記開始サブフレームの開始からの上記ｄｒｘ−ＳｌｏｔＯｆｆｓｅｔの後に上記ｄｒｘ−ｏｎＤｕｒａｔｉｏｎＴｉｍｅｒを開始するように構成される、請求項７に記載のＵＥ。
【請求項１０】
上記ｄｒｘ−ＳｌｏｔＯｆｆｓｅｔは、１つ以上のスロット、上記１つ以上のスロットの一部に対応する実際の時間値を有する、請求項７に記載のＵＥ。
【請求項１１】
上記ｄｒｘ−ＳｌｏｔＯｆｆｓｅｔは、ミリ秒あるいはミリ秒の一部における実際の時間単位を有する、請求項７に記載のＵＥ。
【請求項１２】
上記受信回路はさらに、物理的ダウンリンク制御チャネル（ＰＤＣＣＨ）を介して新しい送信の指示を受信するように構成され、
上記処理回路はさらに、上記ＰＤＣＣＨの終了後の一番目のシンボルにおいてＤＲＸ非アクティブタイマー（ｄｒｘ−Ｉｎａｃｔｉｖｉｔｙ  Ｔｉｍｅｒ）を開始するように構成される、請求項７に記載のＵＥ。
【請求項１３】
ユーザ機器（ＵＥ）の受信回路によって、物理的ダウンリンク制御チャネル（ＰＤＣＣＨ）を介して新しい送信の指示を受信するステップと、
上記ＵＥの処理回路によって、上記ＰＤＣＣＨの受信終了後の一番目のシンボルにおいてＤＲＸ非アクティブタイマー（ｄｒｘ−Ｉｎａｃｔｉｖｉｔｙ  Ｔｉｍｅｒ）を開始または再開するステップと、を備える間欠受信（ＤＲＸ）のための方法。
【発明の詳細な説明】
【発明の詳細な説明】
【０００１】
〔関連出願とのクロスレファレンス〕
本出願は、２０１７年９月２８日に出願された米国特許仮出願第６２／５６４，６５０号、発明の名称「ＤＲＸ  ＳＴＡＴＥ  ＴＲＡＮＳＩＴＩＯＮ  ＵＮＤＥＲ  ＭＵＬＴＩＰＬＥ  ＮＵＭＥＲＯＬＯＧＹ  ＩＮ  ＮＥＷ  ＲＡＤＩＯ」、代理人整理番号ＵＳ７１９９６（以下、「ＵＳ７１９９６出願」と呼ぶ）の利益および優先権を主張する。ＵＳ７１９９６出願の開示は、参照により本出願に全体的に組み込まれる。
【０００２】
〔技術分野〕
本開示は、概論的には無線通信に関し、より詳細には、間欠受信（ｄｉｓｃｏｎｔｉｎｕｏｕｓ  ｒｅｃｅｐｔｉｏｎ）を制御するための装置および方法に関する。
【０００３】
〔背景技術〕
ロングタームエボリューション（ＬＴＥ）または発展型ＬＴＥ（ｅＬＴＥ）ネットワークなどの無線通信ネットワークでは、１つまたは複数のユーザ機器（ＵＥ）のバッテリ寿命を維持するために、基地局とＵＥとの間で間欠受信（ＤＲＸ）が一般に使用される。例えば、ＤＲＸ中に、電力消費を低減するために、ＵＥはそのＲＦモジュールをオフにし、および／または、データ送信間の制御チャネル監視を中断し得る。ＵＥは、例えば、基地局の構成および実際のトラフィックパターンに基づいて、事前に構成されたＯＮ／ＯＦＦサイクルを有する制御チャネル（例えば、物理的ダウンリンク制御チャネル（ＰＤＣＣＨ））を周期的に監視し得る。アクティブ時間（例えば、ＯＮサイクル）の間、ＵＥは可能なデータ送信／受信指示についてＰＤＣＣＨを監視する。アクティブ時間中にデータ送信が発生したとき、ＵＥは送信を終了するためにアクティブのままであってもよい。
【０００４】
次世代（例えば、第５世代（５Ｇ）新無線（ＮＲ））無線通信ネットワークにおけるデータスケジューリングの柔軟性を高めるために、第３世代パートナーシッププロジェクト（３ＧＰＰ）は、フレーム構造形成および制御チャネル割り当てに関する新しい設計を導入した。ここで、フレーム構造内のすべての要素が、固定時間単位を有するわけではない。
【０００５】
したがって、当技術分野では、次世代無線通信ネットワークのために、ＤＲＸ動作の制御ための装置および方法が必要とされている。
【発明の概要】
【０００６】
本開示は、新無線における間欠受信を制御するための装置および方法を対象とする。
【０００７】
本開示の第１の態様では、間欠受信（ＤＲＸ）のための方法が開示され、上記方法は、ユーザ機器（ＵＥ）の受信回路によって、ＤＲＸ開始オフセット（ｄｒｘ−Ｓｔａｒｔ  Ｏｆｆｓｅｔ）およびＤＲＸスロットオフセット（ｄｒｘ−Ｓｌｏｔ  Ｏｆｆｓｅｔ）を有する無線リソース制御（ＲＲＣ）メッセージを受信するステップと、上記ＵＥの処理回路によって、上記ｄｒｘ−ＳｔａｒｔＯｆｆｓｅｔに基づいて開始サブフレームを決定するステップと、上記処理回路によって、上記ｄｒｘ−ＳｌｏｔＯｆｆｓｅｔに基づいて上記始サブフレーム内のＤＲＸオン持続時間（ｄｒｘ−ｏｎＤｕｒａｔｉｏｎ）タイマーの開始時間を決定するステップと、を備える。
【０００８】
第１の態様の一実施形態によれば、上記方法は、上記受信回路によって、システムフレーム番号（ＳＦＮ）、サブフレーム番号、および短ＤＲＸサイクル（ｄｒｘ−ＳｈｏｒｔＣｙｃｌｅ）を受信するステップと、上記処理回路によって、［（ＳＦＮ  ×１０）＋サブフレーム番号］ｍｏｄｕｌｏ（ｄｒｘ−ＳｈｏｒｔＣｙｃｌｅ）＝（ｄｒｘ−ＳｔａｒｔＯｆｆｓｅｔ）ｍｏｄｕｌｏ（ｄｒｘ−ＳｈｏｒｔＣｙｃｌｅ）のときに、上記開始サブフレームの開始からの上記ｄｒｘ−ＳｌｏｔＯｆｆｓｅｔの後に上記ｄｒｘ−ｏｎ  Ｄｕｒａｔｉｏｎ  Ｔｉｍｅｒを開始するステップと、をさらに備える。
【０００９】
第１の態様の別の実施形態によれば、上記方法は、上記受信回路によって、システムフレーム番号（ＳＦＮ）、サブフレーム番号、および長ＤＲＸサイクル（ｄｒｘ−ＬｏｎｇＣｙｃｌｅ）を受信するステップと、上記処理回路によって、［（ＳＦＮ  ×１０）＋サブフレーム番号］ｍｏｄｕｌｏ（ｄｒｘ−ＬｏｎｇＣｙｃｌｅ）＝  ｄｒｘ−ＳｔａｒｔＯｆｆｓｅｔのときに、上記開始サブフレームの開始からの上記ｄｒｘ−ＳｌｏｔＯｆｆｓｅｔの後に上記ｄｒｘ−ｏｎＤｕｒａｔｉｏｎＴｉｍｅｒを開始するステップと、をさらに備える。
【００１０】
第１の態様の別の実施形態によれば、上記ｄｒｘ−ＳｌｏｔＯｆｆｓｅｔは、１つ以上のスロットあるいは上記１つ以上のスロットの一部に対応する実際の時間値を有する。
【００１１】
第１の態様の別の実施形態によれば、上記ｄｒｘ−ＳｌｏｔＯｆｆｓｅｔは、ミリ秒あるいはミリ秒の一部（ａ  ｆｒａｃｔｉｏｎ  ｏｆ  ａ  ｍｉｌｌｉｓｅｃｏｎｄ）における実際の時間単位を有する。
【００１２】
第１の態様の別の実施形態によれば、上記方法は、上記受信回路によって、物理的ダウンリンク制御チャネル（ＰＤＣＣＨ）を介して新しい送信の指示を受信するステップと、上記処理回路によって、上記ＰＤＣＣＨの終了後の一番目のシンボルにおいてＤＲＸ非アクティブタイマー（ｄｒｘ−Ｉｎａｃｔｉｖｉｔｙ  Ｔｉｍｅｒ）を開始するステップと、をさらに備える。
【００１３】
本開示の第２の態様では、ユーザ機器（ＵＥ）が開示され、上記ＵＥは、ＤＲＸ開始オフセット（ｄｒｘ−Ｓｔａｒｔ  Ｏｆｆｓｅｔ）およびＤＲＸスロットオフセット（ｄｒｘ−Ｓｌｏｔ  Ｏｆｆｓｅｔ）を有する無線リソース制御（ＲＲＣ）メッセージを受信するように構成された受信回路と、上記ｄｒｘ−ＳｔａｒｔＯｆｆｓｅｔに基づいて開始サブフレームを決定し、上記ｄｒｘ−ＳｌｏｔＯｆｆｓｅｔに基づいて上記開始サブフレーム内のＤＲＸオン持続時間（ｄｒｘ−ｏｎＤｕｒａｔｉｏｎ）タイマーの開始時間を決定するように構成された処理回路と、を備える。
【００１４】
第２の態様の一実施形態によれば、上記受信回路はさらに、システムフレーム番号（ＳＦＮ）と短ＤＲＸサイクル（ｄｒｘ−ＳｈｏｒｔＣｙｃｌｅ）とを受信するように構成され、上記処理回路はさらに、サブフレーム番号を決定し、［（ＳＦＮ  ×１０）＋サブフレーム番号］ｍｏｄｕｌｏ（ｄｒｘ−ＳｈｏｒｔＣｙｃｌｅ）＝（ｄｒｘ−ＳｔａｒｔＯｆｆｓｅｔ）ｍｏｄｕｌｏ（ｄｒｘ−ＳｈｏｒｔＣｙｃｌｅ）のときに、上記開始サブフレームの開始からの上記ｄｒｘ−ＳｌｏｔＯｆｆｓｅｔの後に上記ｄｒｘ−ｏｎ  Ｄｕｒａｔｉｏｎ  Ｔｉｍｅｒを開始するように構成される。
【００１５】
第２の態様の別の実施形態によれば、上記受信回路はさらに、システムフレーム番号（ＳＦＮ）と長ＤＲＸサイクル（ｄｒｘ−ＬｏｎｇＣｙｃｌｅ）とを受信するように構成され、上記処理回路はさらに、サブフレーム番号を決定し、［（ＳＦＮ  ×１０）＋サブフレーム番号］ｍｏｄｕｌｏ（ｄｒｘ−ＬｏｎｇＣｙｃｌｅ）＝  ｄｒｘ−ＳｔａｒｔＯｆｆｓｅｔのときに、上記開始サブフレームの開始からの上記ｄｒｘ−ＳｌｏｔＯｆｆｓｅｔの後に上記ｄｒｘ−ｏｎ  Ｄｕｒａｔｉｏｎ  Ｔｉｍｅｒを開始するように構成される。
【００１６】
第２の態様の別の実施形態によれば、上記ｄｒｘ−ＳｌｏｔＯｆｆｓｅｔは、１つ以上のスロットあるいは上記１つ以上のスロットの一部に対応する実際の時間値を有する。
【００１７】
第２の態様の別の実施形態によれば、上記ｄｒｘ−ＳｌｏｔＯｆｆｓｅｔは、ミリ秒あるいはミリ秒の一部における実際の時間単位を有する。
【００１８】
本開示の第３の態様では、間欠受信（ＤＲＸ）のための方法が開示され、上記方法は、ユーザ機器（ＵＥ）の受信回路によって、物理的ダウンリンク制御チャネル（ＰＤＣＣＨ）を介して新しい送信の指示を受信するステップと、上記ＵＥの処理回路によって、上記ＰＤＣＣＨの受信終了後の一番目のシンボルにおいてＤＲＸ非アクティブタイマー（ｄｒｘ−Ｉｎａｃｔｉｖｉｔｙ  Ｔｉｍｅｒ）を開始または再開するステップと、を備える。
【００１９】
〔図面の簡単な説明〕
添付の図面と共に読むと、以下の詳細な説明から、例示的な開示の態様が最も良く理解される。様々な特徴は一定の縮尺では描かれておらず、様々な特徴の寸法は、詳解を明確にするために任意に増減される場合がある。
【００２０】
図１は、本出願の例示的な実施形態による、様々なオン持続時間タイマーの開始時間位置を示すフレーム構造を示す概略図である。
【００２１】
図２は、本出願の例示的な実施形態による、データスケジューリングを伴い、様々なＤＲＸ非アクティブタイマーの開始時間位置を示すフレーム構造を示す概略図である。
【００２２】
図３Ａおよび図３Ｂは、本出願の例示的な実施形態による、ＴＩＮＴＩＡで構成される様々なＤＲＸ非アクティブタイマーの終了時間位置を示すサブフレーム構造を示す概略図である。
【００２３】
図４Ａおよび図４Ｂは、本出願の例示的な実施形態による、ＴＦＬＴＩＡで構成される様々なＤＲＸ非アクティブタイマーの終了時間位置を示すサブフレーム構造を示す概略図である。
【００２４】
図５は、本出願の例示的な実施形態による、ＤＲＸ非アクティブタイマーの終了のための様々な時間間隔を示すサブフレーム構造を示す概略図である。
【００２５】
図６は、本出願の例示的な実施形態による、ＤＲＸ動作のためのＵＥによる方法を示すフローチャートである。
【００２６】
図７は、本出願の例示的な実施形態による、無線通信のためのノードを示すブロック図である。
【００２７】
〔発明を実施するための形態〕
以下の説明は、本開示における例示的な実施形態に関連する特定の情報を含む。本開示における図面およびそれらの添付の詳細な説明は、単に例示的な実施形態を対象としている。しかし、本開示は、これらの例示的な実施形態のみに限定されるものではない。本開示の他の変形および実施形態は、当業者には想起されるであろう。特に断らない限り、複数の図中の同様のまたは対応する要素は、同様のまたは対応する参照番号によって示され得る。さらに、本開示における図面および例示は、ほとんどの場合、一定の縮尺ではなく、実際の相対的な寸法に対応することを意図していない。
【００２８】
一貫性および容易な理解のために、同様の特徴は（いくつかの例では、図示されていないが）、例示的な図では数字によって識別される。しかし、異なる実施形態における特徴は、他の点で異なっていてもよく、したがって、図面に示されるものに狭く限定されるものではない。
【００２９】
本明細書では、「一実施形態では」または「いくつかの実施形態では」という語句を使用するが、これらの語句はそれぞれ、同じ実施形態または異なる実施形態のうちの１つまたは複数を指すことがある。「結合された（ｃｏｕｐｌｅｄ）」という用語は、直接的であろうと、介在する構成要素を介して間接的であろうと、接続されたものとして定義され、必ずしも物理的接続に限定されない。「〜を備える（ｃｏｍｐｒｉｓｉｎｇ）」という用語が使用される場合、「〜を含む（ｉｎｃｌｕｄｅ）が、必ずしもこれに限定されない」ことを意味する。「〜を備える（ｃｏｍｐｒｉｓｉｎｇ）」は、特に、そのように記載された組み合わせ、グループ、シリーズ、および均等物における非制限的な包含、または、メンバーシップを示す。
【００３０】
さらに、説明および非限定の目的のために、機能エンティティ、技法、プロトコル、標準などの具体的な詳細が、説明される技術の理解を実現するために記載される。他の例では、不必要な詳細で説明を不明瞭にしないように、周知の方法、技術、システム、アーキテクチャなどの詳細な説明は省略される。
【００３１】
当業者は、本開示に記載されている任意のネットワーク機能またはアルゴリズムが、ハードウェア、ソフトウェア、またはソフトウェアとハードウェアとの組み合わせによって実行されてもよいことを直ちに理解するだろう。記載された機能は、ソフトウェア、ハードウェア、ファームウェア、またはこれらの任意の組み合わせであり得るモジュールに対応してもよい。ソフトウェアの実装は、例えばメモリまたは他の種類の記憶装置などのコンピュータ読み取り可能媒体に記憶されたコンピュータ実行可能命令を含んでいてもよい。例えば、通信処理能力を有する１つまたは複数のマイクロプロセッサまたは汎用コンピュータは、対応する実行可能命令でプログラム化され、記載されているネットワーク機能またはアルゴリズムを実行してもよい。上記マイクロプロセッサまたは汎用コンピュータは、特定用途向け集積回路（ＡＳＩＣ）、および／または、プログラマブルロジックアレイでできていてもよい、および／または、１つまたは複数のデジタルシグナルプロセッサ（ＤＳＰ）を用いてできていてもよい。本明細書に記載されている例示的な実施形態のうちのいくつかは、コンピュータハードウェアにインストールされて該ハードウェア上で実行されるソフトウェアを対象としているが、ファームウェアとして、あるいは、ハードウェアまたはハードウェアとソフトウェアとの組み合わせとして実行される代替の例示的な実施形態は十分に本開示の範囲内のものである。
【００３２】
コンピュータ読み取り可能媒体としては、ランダムアクセスメモリ（ＲＡＭ）、読取り専用メモリ（ＲＯＭ）、消去可能プログラマブル読取り専用メモリ（ＥＰＲＯＭ）、電気的消去可能プログラマブル読取り専用メモリ（ＥＥＰＲＯＭ（登録商標））、フラッシュメモリ、コンパクトディスク読取り専用メモリ（ＣＤ  ＲＯＭ）、磁気カセット、磁気テープ、磁気ディスク記憶装置、またはコンピュータ読み取り可能命令を記憶することができる任意の他の同等の媒体が挙げられるが、これらに限定されない。
【００３３】
無線通信ネットワークアーキテクチャ（例えば、ロングタームエボリューション（ＬＴＥ）システム、ＬＴＥアドバンスト（ＬＴＥ−Ａ）システム、またはＬＴＥアドバンストＰｒｏシステム）は、少なくとも１つの基地局、少なくとも１つのユーザ装置（ＵＥ）、およびネットワークへの接続を実現する１つまたは複数の任意のネットワーク要素を典型的に含む。上記ＵＥは、上記ネットワーク（例えば、コアネットワーク（ＣＮ）、進化型パケットコア（ＥＰＣ）ネットワーク、発展型ユニバーサル無線地上波アクセスネットワーク（Ｅ−ＵＴＲＡＮ）、次世代コア（ＮＧＣ）、５Ｇコアネットワーク（５ＧＣ）またはインターネット）と、上記基地局によって構築された無線アクセスネットワーク（ＲＡＮ）を通じて、通信する。
【００３４】
なお、本出願において、ＵＥとしては、移動局、携帯端末または携帯機器、ユーザ通信無線端末が挙げられるが、これらに限定されない。例えば、ＵＥは、携帯無線装置であってもよく、該携帯無線装置としては、無線通信能力を有する携帯電話、タブレット、ウェアラブルデバイス、センサ、または個人用デジタル補助装置（ＰＤＡ）が挙げられるが、これらに限定されない。上記ＵＥは、無線アクセスネットワークにおける１つまたは複数のセルと、エアー・インターフェース上で、信号を送受信するよう構成されている。
【００３５】
基地局は、ＵＭＴＳにおけるようなノードＢ（ＮＢ）、ＬＴＥ−Ａにおいてみられるような発展型ノードＢ（ｅＮＢ）、ＵＭＴＳにおいてみられるような無線ネットワークコントローラ（ＲＮＣ）、ＧＳＭ／ＧＥＲＡＮにおいてみられるような基地局コントローラ（ＢＳＣ）、５ＧＣに関連するＥ−ＵＴＲＡ基地局においてみられるようなＮＧ−ｅＮＢ、５Ｇ−ＲＡＮにおいてみられるような次世代ノードＢ（ｇＮＢ）、およびセル内の無線通信を制御し、無線リソースを管理することができる任意の他の装置を含み得るが、これらに限定されない。基地局は、ネットワークへの無線インターフェースを介して１つまたは複数のＵＥにサービスを提供するように接続し得る。
【００３６】
基地局は、以下の無線アクセス技術（ＲＡＴ）のうちの少なくとも一つに従って、通信サービスを提供するように構成されてもよい。上記無線アクセス技術（ＲＡＴ）としては、世界相互運用マイクロ波アクセス（ＷｉＭＡＸ）、グローバルモバイル通信システム（ＧＳＭ（登録商標）、２Ｇと称されることが多い）、ＧＳＭ  ＥＤＧＥ無線アクセスネットワーク（ＧＥＲＡＮ）、汎用パケット無線サービス（ＧＲＰＳ）、基本広帯域符号分割多元接続（Ｗ−ＣＤＭＡ）に基づいたユニバーサル・モバイル・テレコミュニケーション・システム（ＵＭＴＳ、３Ｇと称されることが多い）、高速パケットアクセス（ＨＳＰＡ）、ＬＴＥ、ＬＴＥ−Ａ、ｅＬＴＥ（進化版ＬＴＥ）、新無線（ＮＲ、５Ｇと称されることが多い）および／またはＬＴＥ−Ａ  Ｐｒｏが挙げられる。しかし、本出願の範囲は、上述のプロトコルに限定すべきではない。
【００３７】
基地局は、無線アクセスネットワークを形成する複数のセルを使用して、特定の地理的エリアに無線カバレッジを提供するように動作可能である。基地局は、セルの動作をサポートする。各セルは、該セルの無線カバレッジ内の少なくとも１つのＵＥにサービスを提供するように動作可能である。より具体的には、各セル（しばしばサービングセルと称される）は、該セルの無線カバレッジ内の１つまたは複数のＵＥにサービスを提供する（例えば、各セルは、ダウンリンクおよび任意でアップリンクパケット送信のために、上記セルの無線カバレッジ内の少なくとも１つのＵＥにダウンリンクおよび任意でアップリンクリソースをスケジューリングする）。基地局は、複数のセルを介して無線通信システム内の１つまたは複数のＵＥと通信することができる。セルは、近接サービス（ＰｒｏＳｅ）をサポートするために、サイドリンク（ＳＬ）リソースを割り当ててもよい。各セルは、他のセルと重複するカバレージ領域を有してもよい。
【００３８】
上述のように、次世代（例えば、５Ｇ  ＮＲ）無線通信ネットワークのフレーム構造は、高信頼性、高データ速度、および低レイテンシ要件を満たしながら、ｅＭＢＢ、ｍＭＴＣ、ＵＲＬＬＣなどの様々な次世代通信要件に対応するためのフレキシブルな構成をサポートする。３ＧＰＰで合意された直交周波数分割多重（ＯＦＤＭ）技術は、ＮＲ波形のための基準として機能し得る。アダプティブサブキャリア間隔、チャネル帯域幅、およびサイクリックプレフィックス（ＣＰ）などのスケーラブルＯＦＤＭニューメロロジー（数秘学）も使用してもよい。さらに、ＮＲには（１）低密度パリティ検査（ＬＤＰＣ）符号および（２）ポーラ符号の２つの符号化方式が考えられる。符号化スキーム適応は、チャネル条件および／またはサービスアプリケーションに基づいて構成され得る。
【００３９】
さらに、単一のＮＲフレームの送信時間間隔ＴＸ、ダウンリンク（ＤＬ）送信データ、ガード期間、およびアップリンク（ＵＬ）送信データが少なくとも含まれるべきであり、ＤＬ送信データ、ガード期間、ＵＬ送信データのそれぞれの部分もまた、例えば、ＮＲのネットワークダイナミクスに基づいて構成可能であるべきであると考えられる。さらに、サイドリンクリソースは、ＰｒｏＳｅサービスをサポートするためにＮＲフレームで提供されてもよい。
【００４０】
ロングタームエボリューション（ＬＴＥ）無線通信システムでは、ＵＥの媒体アクセス制御（ＭＡＣ）エンティティが、ＵＥの物理ダウンリンク制御チャネル（ＰＤＣＣＨ）を制御するＤＲＸ機能性を有する無線リソース制御（ＲＲＣ）によって構成され得る。ＵＥの物理ダウンリンク制御チャネル（ＰＤＣＣＨ）は、ＭＡＣエンティティの共通無線ネットワーク一時識別子（Ｃ−ＲＮＴＩ）、送信電力制御物理アップリンク制御チャネル（ＰＵＣＣＨ）無線ネットワーク一時識別子（ＴＰＣ−ＰＵＣＣＨ−ＲＮＴＩ）、送信電力制御物理アップリンク共有チャネル（ＰＵＳＣＨ）無線ネットワーク一時識別子（ＴＰＣ−ＰＵＳＣＨ−ＲＮＴＩ）、半持続的スケジューリングＣ−ＲＮＴＩ（構成されている場合）、アップリンク（ＵＬ）半持続的スケジューリング仮想ＲＮＴＩ（構成されている場合）、トラフィック適応エンハンスド干渉軽減−ＲＮＴＩ（ｅＩＭＴＡ−ＲＮＴＩ）（構成されている場合）、サイドリンクＲＮＴＩ（Ｓ−ＲＮＴＩ）（構成されている場合）、ＳＬ−Ｖ−ＲＮＴＩ（構成されている場合）、コンポーネントキャリア−ＲＮＴＩ（ＣＣ−ＲＮＴＩ）（構成されている場合）、およびサウンディング参照信号（ＳＲＳ）−ＴＰＣ−ＲＮＴＩ（ＳＲＳ−ＴＰＣ−ＲＮＴＩ）（構成されている場合）のアクティビティを監視する。ＲＲＣ＿ＣＯＮＮＥＣＴＥＤ状態にあるとき、ＤＲＸが構成される場合、ＭＡＣエンティティは、ＤＲＸ動作を使用してＰＤＣＣＨを不連続に監視することができる。ＲＲＣは、表１のリストのように、以下のタイマーおよびパラメータを構成することでＤＲＸ動作を制御する：ＤＲＸオン持続時間タイマー（ｏｎＤｕｒａｔｉｏｎＴｉｍｅｒ）、ＤＲＸ非アクティブタイマー（ｄｒｘ−Ｉｎａｃｔｉｖｉｔｙ  Ｔｉｍｅｒ）、ＤＲＸ再送信タイマー（ｄｒｘ−Ｒｅｔｒａｎｓｍｉｓｓｉｏｎ  Ｔｉｍｅｒ）、ＤＲＸ  ＵＬ再送信タイマー（例えば、ｄｒｘ−ＵＬ  Ｒｅｔｒａｎｓｍｉｓｓｉｏｎ  Ｔｉｍｅｒ）、ＤＲＸ長サイクル（ｌｏｎｇＤＲＸ−Ｃｙｃｌｅ）、ＤＲＸ開始オフセット（ｄｒｘＳｔａｒｔＯｆｆｓｅｔ）、ＤＲＸ短サイクル（ｓｈｏｒｔＤＲＸ−Ｃｙｃｌｅ）、およびＤＲＸ短サイクルタイマー（ｄｒｘＳｈｏｒｔＣｙｃｌｅＴｉｍｅｒ）。基地局（例えば、発展型ノードＢ（ｅＮＢ））によって提供されるＤＲＸ構成に基づいて、ＵＥは正確なアクティブ時間で構成される。ＤＲＸサイクルが構成されるとき、アクティブ時間は、オン持続時間タイマー、ＤＲＸ非アクティブタイマー、ＤＲＸ再送信タイマー、ＤＲＸ  ＵＬ再送信タイマー、および／またはＭＡＣ衝突解決タイマーによって示される時間を含む。
【００４１】
本出願の実施形態は、オン持続時間タイマーおよびＤＲＸ非アクティブタイマーに焦点を当てている。本出願で扱われる目的および使用方法によれば、これらのパラメータは４つの形態、すなわち、ＤＲＸサイクル、データ送信、データ再送信、およびハイブリッド自動再送要求（ＨＡＲＱ）に分類することができる。さらに、これらのパラメータは、異なる時間単位を有する可能性がある。例えば、ＤＲＸサイクルおよびＨＡＲＱに関連するパラメータはサブフレーム（ｓｆ）内の時間単位で構成され、データ送信およびデータ再送信に関連するパラメータはＰＤＣＣＨサブフレーム（ｐｓｆ）で構成される。
【表１】
2021500777.tif 000003
【００４２】
次世代（例えば、５Ｇ  ＮＲ）無線通信ネットワークでは、少なくとも３つの異なる種類の時間単位、すなわち、固定時間単位（ＦＴＵ）、スケーラブル時間単位（ＳＴＵ）、および絶対時間（ＡＴ）がある。例えば、サブフレーム、フレームおよびハイパーフレームはＦＴＵであり、スロットおよびシンボルはＳＴＵである。サブフレーム、フレーム、およびハイパーフレームはそれぞれ、固定長の時間、例えば、１ｍｓ、１０ｍｓ、および１０２４０ｍｓで構成される。ＬＴＥとは異なり、次世代（例えば、５Ｇ  ＮＲ）無線通信ネットワークにおけるスロット長は、シンボル長の差のために静的ではない。シンボル長は、サブキャリア間隔（ＳＣＳ）に反比例するので、サブフレーム内のスロットの数は例えば、ＳＣＳに依存して変化し得る。
【００４３】
５Ｇ  ＮＲ無線通信ネットワークでは、２つの異なるスケジューリングメカニズム、つまり、スロットベースのスケジューリングおよび非スロットベースのスケジューリングがサポートされる。スロットベースのスケジューリングでは、各スロットはＰＤＣＣＨの機会を含むので、基地局（例えば、ｇＮＢ）はスロットごとにデータスケジューリングを実行することができる。つまり、２つのデータスケジューリング間の最短時間間隔は、ＬＴＥ無線通信ネットワークのサブフレームよりも時間グラニュラリティが小さい５Ｇ  ＮＲ無線通信ネットワークのスロットとなり得る。非スロットベースのスケジューリングメカニズムでは、データスケジューリングはスロットとバンドルされない。ＵＥは、ＵＥが監視する必要がある時間および周波数リソース割り当て情報を含み得るＵＥ特定制御リソースセット（ＣＯＲＥＳＥＴ）構成を用いて構成されるべきである。ＣＯＲＥＳＥＴ構成は、ＣＯＲＥＳＥＴモニタの周期性も含む。ＣＯＲＥＳＥＴモニタの周期性は、シンボル（複数可）内にあることが可能である。したがって、基地局（たとえば、ｅＮＢまたはｇＮＢ）は１つのスロット内で２つ以上のデータスケジューリングを実行することができ、スロットベースのスケジューリングよりも小さい時間グラニュラリティを有することもできる。スロットベースのスケジューリングでは、ＵＥはまた、ＵＥが各スロットにおいてＰＤＣＣＨ内で監視する必要がある時間および周波数リソース割り当て情報を示すＣＯＲＥＳＥＴ構成を用いて構成され得る。
【００４４】
さらに、５Ｇ  ＮＲ無線通信ネットワークでは、ＤＲＸパラメータが異なる時間単位（例えば、ＦＴＵ、ＳＴＵ、またはＡＴ）で構成され得る。例えば、ＤＲＸ短サイクルタイマー（ｄｒｘ−ＳｈｏｒｔＣｙｃｌｅＴｉｍｅｒ）、ＤＲＸ長サイクル（ｄｒｘ−ＬｏｎｇＣｙｃｌｅ）、ＤＲＸオン持続時間タイマー（ｄｒｘ−ｏｎＤｕｒａｔｉｏｎＴｉｍｅｒ）、およびＤＲＸ非アクティブタイマー（ｄｒｘ−ＩｎａｃｔｉｖｉｔｙＴｉｍｅｒ）はＡＴ（例えば、ｍｓ）によって構成されてもよい。このため、５Ｇ  ＮＲ無線通信ネットワークにおけるＤＲＸ動作は、ＬＴＥ無線ネットワーク通信ネットワークにおけるＤＲＸ動作に比べて柔軟性が高い。例えば、ＬＴＥネットワークでは、ＰＤＣＣＨが初期アップリンク、ダウンリンク、またはサイドリンクユーザデータ送信を示すサブフレームの後に、ＤＲＸ非アクティブタイマーはトリガされ得る。表１に示すように、ＤＲＸ非アクティブタイマーはｐｓｆで構成される。５Ｇ  ＮＲネットワークでは、ＤＲＸ非アクティブタイマーがミリ秒（ｍｓ）によって構成され得る。したがって、ＤＲＸ動作の詳細な動作は、状況に応じて調整される必要がある。例えば、短ＤＲＸサイクル、長ＤＲＸサイクル、オン持続時間タイマー、およびＤＲＸ非アクティブタイマーの開始時間および／または終了時間は、対処される必要がある。
【００４５】
ＬＴＥネットワークでは、オン持続時間タイマーが以下の２つの式のうちの１つが満たされるとトリガされる：
（１）短ＤＲＸサイクルが使用され、［（ＳＦＮ  ＊  １０）＋  サブフレーム番号］ｍｏｄｕｌｏ（ｓｈｏｒｔＤＲＸ−Ｃｙｃｌｅ）＝（ｄｒｘＳｔａｒｔＯｆｆｓｅｔ）ｍｏｄｕｌｏ（ｓｈｏｒｔＤＲＸ−Ｃｙｃｌｅ）
（２）長ＤＲＸサイクルが使用され、［（ＳＦＮ  ＊  １０）＋  サブフレーム番号］ｍｏｄｕｌｏ（ｌｏｎｇＤＲＸ−Ｃｙｃｌｅ）＝ｄｒｘＳｔａｒｔＯｆｆｓｅｔ
ここで、ＳＦＮはシステムフレーム番号である。
【００４６】
オン持続時間タイマーはｐｓｆで構成されているので、オン持続時間タイマーの開始時間は、オン持続時間タイマーがトリガされたときのサブフレームの先頭（各サブフレームがＰＤＣＣＨを含むため）である。しかしながら、５Ｇ  ＮＲネットワークにおけるオン持続時間タイマーはｍｓによって構成され、オン持続時間タイマーの実際の開始時間は、いくつかの可能な開始位置を有することができる。
【００４７】
本出願の実施形態は、５Ｇ  ＮＲネットワークにおける短ＤＲＸサイクル、長ＤＲＸサイクル、オン持続時間タイマー、およびＤＲＸ非アクティブタイマーのそれぞれの開始時間および終了時間を扱う。
【００４８】
５Ｇ  ＮＲネットワークでは、システムフレーム当たり１０個のサブフレームと、サブフレーム当たりのＮｓｆｓｌｏｔ個のスロットと、スロット当たりのＮｓｌｏｔｓｙｍｂｏｌ個のシンボルとがある。言い換えれば、サブフレーム当たりＮｓｌｏｔｓｙｍｂｏｌ＊Ｎｓｆｓｌｏｔ個のシンボルがあり、システムフレーム当たり１０＊Ｎｓｌｏｔｓｙｍｂｏｌ＊Ｎｓｆｓｌｏｔ個のシンボルがある。
【００４９】
図１を参照すると、ＵＥは、ＣＯＲＥＳＥＴの割り当て（複数可）を示すためのいくつかのパラメータを含むＣＯＲＥＳＥＴ構成で構成され得る。例えば、ＣＯＲＥＳＥＴ構成は、ＣＯＲＥＳＥＴのための開始シンボル（ＣＯＲＥＳＥＴ−ｓｔａｒｔ−ｓｙｍｂ）および連続的なＣＯＲＥＳＥＴの持続時間（ＣＯＲＥＳＥＴ−ｔｉｍｅ−ｄｕｒａｔｉｏｎ）を含む。表２は、本出願で使用されるパラメータの略語および説明を含む。
【表２】
2021500777.tif 000004
【００５０】
５Ｇ  ＮＲ無線通信ネットワークでは、ＤＲＸ動作中に、基地局（例えば、ｇＮＢ）は以下のタイマーおよびパラメータを有するＤＲＸ構成を提供し得る：ＤＲＸオン持続時間タイマー（ｄｒｘ−ｏｎＤｕｒａｔｉｏｎＴｉｍｅｒ）、ＤＲＸ非アクティブタイマー（ｄｒｘ−ＩｎａｃｔｉｖｉｔｙＴｉｍｅｒ）、ＤＲＸ再送信タイマー（ｄｒｘ−ＲｅｔｒａｎｓｍｉｓｓｉｏｎＴｉｍｅｒＤＬ）、ＤＲＸ  ＵＬ再送信タイマー（ｄｒｘ−ＲｅｔｒａｎｓｍｉｓｓｉｏｎＴｉｍｅｒＵＬ）、ＤＲＸ長サイクル（ｄｒｘ−ＬｏｎｇＣｙｃｌｅ）、ＤＲＸ開始オフセット（ｄｒｘ−ＳｔａｒｔＯｆｆｓｅｔ）、ＤＲＸ短サイクル（ｄｒｘ−ＳｈｏｒｔＣｙｃｌｅ）、ＤＲＸ短サイクルタイマー（ｄｒｘ−ＳｈｏｒｔＣｙｃｌｅＴｉｍｅｒ）、ＤＲＸスロットオフセット（ｄｒｘ−ＳｌｏｔＯｆｆｓｅｔ）、ＤＲＸ  ＤＬ  ＨＡＲＱ  ＲＴＴタイマー（ｄｒｘ−ＨＡＲＱ−ＲＴＴ−ＴｉｍｅｒＤＬ）、ＤＲＸ  ＵＬ  ＨＡＲＱ  ＲＴＴタイマー（ｄｒｘ−ＨＡＲＱ−ＲＴＴ−ＴｉｍｅｒＵＬ）。
【００５１】
ケース１：オン持続時間タイマー開始時間。
【００５２】
図１は、本出願の例示的な実施形態による、様々なオン持続時間タイマーの開始時間位置を示すフレーム構造を示す概略図である。
【００５３】
一実施形態では、オン持続時間タイマーがサブフレームの開始時に開始することができる。グラフ１００では、オン持続時間タイマーがサブフレーム１の開始位置である１９８Ａの位置から始まり得る。本実施形態では、ＵＥにシグナルを送るための追加のパラメータは必要ない。
【００５４】
一実施形態では、オン持続時間タイマーがスロットベースのスケジューリングのために適用されるＣＯＲＥＳＥＴの開始時に開始することができる。グラフ１００では、オン持続時間タイマーは、ＣＯＲＥＳＥＴ  １１０の開始位置である位置１９８Ｂで開始することができる。本実施態様では、オン持続時間タイマーが以下の２つの式のうちの少なくとも１つが満たされるときに開始することができる：
（１）短ＤＲＸサイクルが使用され、［（ＳＦＮ＊１０）＋サブフレーム番号］ｍｏｄｕｌｏ（ｄｒｘ−ＳｈｏｒｔＣｙｃｌｅ）＝（ｄｒｘ−ＳｔａｒｔＯｆｆｓｅｔ）ｍｏｄｕｌｏ（ｄｒｘ−ＳｈｏｒｔＣｙｃｌｅ）  かつ  スロット番号＝ｄｒｘＳｔａｒｔＯｆｆｓｅｔ＿ｓｌｏｔ  かつ  シンボル番号＝ＣＯＲＥＳＥＴ開始シンボル；
（２）長ＤＲＸサイクルが使用され、［（ＳＦＮ＊１０）＋サブフレーム番号］ｍｏｄｕｌｏ（ｄｒｘ−ＬｏｎｇＣｙｃｌｅ）＝ｄｒｘ−ＳｔａｒｔＯｆｆｓｅｔ  かつ  スロット番号＝ｄｒｘＳｔａｒｔＯｆｆｓｅｔ＿ｓｌｏｔ  かつ  シンボル番号＝ＣＯＲＥＳＥＴ開始シンボル；
ここで、ｄｒｘ−ＳｔａｒｔＯｆｆｓｅｔはＬＴＥにおけるｄｒｘＳｔａｒｔＯｆｆｓｅｔと同じであり、ｄｒｘＳｔａｒｔＯｆｆｓｅｔ＿ｓｌｏｔは、ＲＲＣメッセージ（複数可）を介してｇＮＢによって構成されるスロットにおけるオフセットである。本実施形態において、オン持続時間タイマーの開始は、ＣＯＲＥＳＥＴ構成によって暗黙的にシグナルが送られることができ、オン持続時間タイマーの開始時間は、ＣＯＲＥＳＥＴ再構成に基づいて可変とすることができる。
【００５５】
一実施形態では、オン持続時間タイマーがスロットの開始時に開始することができる。グラフ１００において、オン持続時間タイマーは、サブフレーム１のスロット１の開始位置である１９８Ｃから開始することができる。本実施態様では、オン持続時間タイマーが以下の２つの式のうちの少なくとも１つが満たされるときに開始することができる：
（１）短ＤＲＸサイクルが使用され、［（ＳＦＮ＊１０）＋サブフレーム番号］ｍｏｄｕｌｏ（ｄｒｘ−ＳｈｏｒｔＣｙｃｌｅ）＝（ｄｒｘ−ＳｔａｒｔＯｆｆｓｅｔ）ｍｏｄｕｌｏ（ｄｒｘ−ＳｈｏｒｔＣｙｃｌｅ）  かつ  スロット番号＝ｄｒｘＳｔａｒｔＯｆｆｓｅｔ＿ｓｌｏｔ；
（２）長ＤＲＸサイクルが使用され、［（ＳＦＮ＊１０）＋サブフレーム番号］ｍｏｄｕｌｏ（ｄｒｘ−ＬｏｎｇＣｙｃｌｅ）＝ｄｒｘ−ＳｔａｒｔＯｆｆｓｅｔ  かつ  スロット番号＝ｄｒｘＳｔａｒｔＯｆｆｓｅｔ＿ｓｌｏｔ；
ここで、ｄｒｘ−ＳｔａｒｔＯｆｆｓｅｔは、ＬＴＥにおけるｄｒｘＳｔａｒｔＯｆｆｓｅｔと同じであり、ｄｒｘＳｔａｒｔＯｆｆｓｅｔ＿ｓｌｏｔはＲＲＣメッセージ（複数可）を介して基地局（例えば、ｅＮＢまたはｇＮＢ）によって構成されるスロットにおけるオフセットである。
【００５６】
一実施形態では、オン持続時間タイマーが非スロットベースのスケジューリングに適用されるＣＯＲＥＳＥＴの開始時に開始することができる。グラフ１００ではオン持続時間タイマーは、スロットＮのＣＯＲＥＳＥＴ  １１０Ｎの開始位置である位置１９８Ｄで開始することができる。本実施形態では、オン持続時間タイマーが以下の式のうちの少なくとも１つが満たされたときに開始することができる：
（１）短ＤＲＸサイクルが使用され、［（ＳＦＮ＊１０）＋サブフレーム番号］ｍｏｄｕｌｏ（ｄｒｘ−ＳｈｏｒｔＣｙｃｌｅ）＝（ｄｒｘ−ＳｔａｒｔＯｆｆｓｅｔ）ｍｏｄｕｌｏ（ｄｒｘ−ＳｈｏｒｔＣｙｃｌｅ）  かつ  スロット番号＝ｄｒｘＳｔａｒｔＯｆｆｓｅｔ＿ｓｌｏｔ  かつ  シンボル番号＝（ＣＯＲＥＳＥＴ開始シンボル＋ｎ＊ＣＯＲＥＳＥＴ監視周期（ＣＯＲＥＳＥＴ−Ｍｏｎｉｔｏｒ−ｐｅｒｉｏｄｉｃｉｔｙ））
（２）長ＤＲＸサイクルが使用され、［（ＳＦＮ＊１０）＋サブフレーム番号］ｍｏｄｕｌｏ（ｄｒｘ−ＬｏｎｇＣｙｃｌｅ）＝ｄｒｘ−ＳｔａｒｔＯｆｆｓｅｔ  かつ  スロット番号＝ｄｒｘＳｔａｒｔＯｆｆｓｅｔ＿ｓｌｏｔ  かつ  シンボル番号＝（ＣＯＲＥＳＥＴ開始シンボル＋ｎ＊ＣＯＲＥＳＥＴ監視周期）
ここで、ｄｒｘ−ＳｔａｒｔＯｆｆｓｅｔは、ＬＴＥにおけるｄｒｘＳｔａｒｔＯｆｆｓｅｔと同じである。ｄｒｘＳｔａｒｔＯｆｆｓｅｔ＿ｓｌｏｔはスロットにおけるオフセットであり、ｎは、スロット内のＣＯＲＥＳＥＴ番号付けである。ｄｒｘＳｔａｒｔＯｆｆｓｅｔ＿ｓｌｏｔおよびｎの両方はＲＲＣメッセージ（複数可）を介して基地局（例えば、ｅＮＢまたはｇＮＢ）によって構成される。
【００５７】
いくつかの実施形態では、複数のＣＯＲＥＳＥＴが構成されているとき、ＵＥはＤＲＸ動作を自動的に中止／停止することができる。なぜなら、この状況では省電力が主要な関心事ではない可能性があるからである。いくつかの実施形態では、ＵＥごとのオン持続時間タイマーを構成することができ、どのＣＯＲＥＳＥＴ構成およびそれに対応するＰＤＳＣＨにもかかわらず、実行を続けることができ、オン持続時間タイマーはそれが終了したときに停止することになる。いくつかの実施形態ではＣＯＲＥＳＥＴごとのオン持続時間タイマーを構成することができ、ｃａｃｈ  ＣＯＲＥＳＥＴはオン持続時間タイマーに関連付けることができ、ＵＥはオン持続時間タイマーのすべてが停止したときにスリープすることができる。
【００５８】
ケース２：ＤＲＸ非アクティブタイマー開始時間。
【００５９】
ＤＲＸ非アクティブタイマーは、ＰＤＣＣＨがＵＥのための初期アップリンク、ダウンリンク、またはサイドリンクユーザデータ送信を指示した後に開始することができる。柔軟なＣＯＲＥＳＥＴ構成を考慮すると、５Ｇ  ＮＲ無線通信ネットワークは、スロットベースおよび非スロットベースのスケジューリングの両方をサポートすることができる。したがって、ＤＲＸ非アクティブタイマーの実際の開始時間は、データ送信／受信を指示するＣＯＲＥＳＥＴ内のＤＣＩ／ＵＣＩ（アップリンク制御情報）に関連し得る。
【００６０】
図２は本出願の例示的な実施形態による、データスケジューリングを伴い、様々なＤＲＸ非アクティブタイマーの開始時間位置を示すフレーム構造を示す概略図である。
【００６１】
一実施形態では、ＤＲＸ非アクティブタイマーがＤＣＩ送信を指示するＣＯＲＥＳＥＴの終了後に開始することができる。例えば、ＤＲＸ非アクティブタイマーは、ＣＯＲＥＳＥＴの終了後の一番目のシンボルの始めから開始することができる。グラフ２００において、ＤＲＸ非アクティブタイマーは、ＤＣＩ送信を指示するＣＯＲＥＳＥＴ２１０の終了直後である位置２９８Ａで開始することができる。例えば、ＤＲＸ非アクティブタイマーは、ＣＯＲＥＳＥＴ２１０の終了直後の一番目のシンボルの開始時に開始する。
【００６２】
一実施形態では、ＤＲＸ非アクティブタイマーがＤＣＩ送信を有するＰＤＣＣＨの終了時に開始することができる。例えば、ＤＲＸ非アクティブタイマーは、ＰＤＣＣＨの終了後の一番目のシンボルの開始時に開始することができる。グラフ２００では、ＤＲＸ非アクティブタイマーがＤＣＩ送信を有するＰＤＣＣＨ２１２の終了直後である位置２９８Ｂで開始することができる。例えば、ＤＲＸ非アクティブタイマーは、ＰＤＣＣＨ２１２の終了直後の一番目のシンボルの開始時に開始する。
【００６３】
一実施形態では、ＤＲＸ非アクティブタイマーがデータ受信／送信のスロットの終了後に開始することができる。例えば、ＤＲＸ非アクティブタイマーは、同じスロット内のデータ受信／送信のスロットの終了直後に開始することができる。グラフ２００では、ＤＲＸ非アクティブタイマーがデータ受信／送信２１４の終了直後である位置２９８Ｃで開始することができる。例えば、ＤＲＸ非アクティブタイマーは、同一スロット０内のデータ受信／送信２１４の終了直後の一番目のシンボルの開始時に開始する。ＤＣＩ２２０は、ＤＣＩ２２０と同じスロット０内のデータ受信／送信２１４を指示することに留意すべきである。
【００６４】
一実施形態では、ＤＲＸ非アクティブタイマーがＤＣＩ送信を有するスロットの終了時に開始することができる。例えば、ＤＲＸ非アクティブタイマーは、ＤＣＩ送信を含むスロットの終了後の一番目のシンボルの開始時に開始することができる。グラフ２００では、ＤＲＸ非アクティブタイマーがＤＣＩ２２０を含むスロット０の終了時である位置２９８Ｄで開始することができる。例えば、ＤＲＸ非アクティブタイマーは、ＤＣＩ２２０を含むスロット０の終了直後の一番目のシンボルの開始時に開始する。
【００６５】
一実施形態では、ＤＲＸ非アクティブタイマーがデータ受信／送信の終了時を含むサブフレームの終了時に開始することができる。例えば、ＤＲＸ非アクティブタイマーは、完了したデータ受信／送信を含むサブフレームの終了後の一番目のシンボルの開始時に開始することができる。グラフ２００では、ＤＲＸ非アクティブタイマーがデータ受信／送信２１８が完了したスロットＮを含むサブフレーム１の終了時である位置２９８Ｅから開始することができる。例えば、ＤＲＸ非アクティブタイマーは、完了したデータ受信／送信２１８を有するスロットＮを含むサブフレーム１の終了直後の一番目のシンボルの開始時に開始する。
【００６６】
一実施形態では、ＤＲＸ非アクティブタイマーがデータ受信／送信の連続スロットの終了後に開始することができる。例えば、ＤＲＸ非アクティブタイマーは、スケジュールされた連続スロットデータ受信／送信内のデータ受信／送信の終了後の一番目のシンボルの開始時（例えば、ＰＤＳＣＨの終了時）で開始することができる。グラフ２００では、ＤＲＸ非アクティブタイマーがデータ受信／送信２１６の終了直後である位置２９８Ｆで開始することができる。例えば、ＤＲＸ非アクティブタイマーは、スロット１内のデータ受信／送信２１６の終了直後の一番目のシンボルの開始時で開始する。本実施形態では、ＤＣＩ２２０は連続スロットデータ受信／送信を指示し、ここで、データ受信／送信の時間間隔は時間領域において連続する複数のスロットを占有する。例えば、グラフ２００では、基地局は２つの連続したスロット０およびスロット１上のＰＤＳＣＨ上でのデータ受信を指示するＤＣＩ２２０を送信する。そして、位置２９８Ｆでの連続スロットデータ受信／送信の終了時に、ＰＤＳＣＨの終了直後に、ＤＲＸ非アクティブタイマーが起動する。例えば、ＤＲＸ非アクティブタイマーは、スロット１内のデータ受信／送信２１６の終了直後の一番目のシンボルの開始時に開始する。
【００６７】
一実施形態では、ＤＲＸ非アクティブタイマーがデータ受信／送信のクロススロットの終了後に開始することができる。例えば、ＤＲＸ非アクティブタイマーは、スケジュールされたクロススロットデータ受信／送信内のデータ受信／送信の終了後の一番目のシンボルの開始で開始することができる。
【００６８】
グラフ２００では、ＤＲＸ非アクティブタイマーがＤＣＩ２２２によってスケジュールされるデータ受信／送信２１８の終了直後である位置２９８Ｇで開始することができる。例えば、ＤＲＸ非アクティブタイマーは、スロットＮ内のデータ受信／送信２１８の終了直後の一番目のシンボルの開始時に開始する。本実施形態において、ＤＣＩ２２２はクロススロットデータの受信／送信を指示し、ここで、データ受信／送信は、時間領域においてスロット１にすぐ隣接しないスロットを占有する。例えば、グラフ２００では、基地局はスロットＮのＰＤＳＣＨ上でのデータ受信を指示するＤＣＩ２２２を送信する。そして、位置２９８Ｇでのクロススロットデータ送受信の終了時に、ＰＤＳＣＨの終了直後にＤＲＸ非アクティブタイマーが開始される。例えば、ＤＲＸ非アクティブタイマーは、スロットＮ内のデータ受信／送信２１８の終了直後の一番目のシンボルの開始時に開始する。
【００６９】
ＤＲＸ非アクティブタイマーが実行されている時間間隔中に、ＵＥは基地局（例えば、ｅＮＢまたはｇＮＢ）によって構成されたＰＤＣＣＨおよび／またはＣＯＲＥＳＥＴを監視し得る。ＵＥがデータ送信／受信のためにスケジュールされている場合、ＤＲＸ非アクティブタイマーは再スタートされてもよい。一実施形態では、基地局は、ＤＣＩを介した各スケジューリング（ＤＣＩ送信）のためにＤＲＸ非アクティブタイマーを（再）開始するかどうかを明示的または暗黙的に指示することができる。別の実施形態では、基地局がＤＲＸ非アクティブタイマーのスキップ指示を用いてＵＥへの新しい送信／受信をスケジュールするとき、ＤＲＸ非アクティブタイマーは（再）開始されるべきでない。別の実施形態では、基地局がＤＲＸ非アクティブタイマーのトリガ指示を用いてＵＥへの新しい送信／受信をスケジュールするとき、ＤＲＸ非アクティブタイマーは（再）開始されるべきである。さらに他の実施形態では、基地局は、固有のＤＲＸ非アクティブタイマー長のＣＯＲＥＳＥＴ構成を構成することができる。ＤＲＸ非アクティブタイマーの最小値は０とすることができる。これは、基地局によって構成される固有のＣＯＲＥＳＥＴ構成に対してＵＥがＤＲＸ非アクティブタイマーへのトリガをスキップすることができることを意味する。
【００７０】
ケース３：ＤＲＸ非アクティブタイマー終了時間。
【００７１】
ＬＴＥネットワークでは、ＤＲＸ非アクティブタイマーが終了した後、ＵＥは短ＤＲＸサイクルに切り替わる。ＵＥがＤＣＩ指示を受信するサブフレームの終了時にＤＲＸ非アクティブタイマーはトリガされ、タイマーはｐｓｆによってカウントされるので、開始時間および終了時間はサブフレームのエッジと整合している。ＬＴＥネットワークとは異なり、５Ｇ  ＮＲネットワークは異なるスロット長をサポートすることができ、データスケジューリングおよびタイマー構成に関してより柔軟性がある。したがって、ＤＲＸ非アクティブタイマーは、サブフレームのエッジと整列しないタイミング位置で終了することがある。
【００７２】
ＤＲＸ非アクティブタイマーはミリ秒の時間単位を有することができるが、ＤＲＸ非アクティブ時間の実際の持続時間は整数または浮動小数点数とすることができる。上記のケース２で説明したフレーム構造および様々なＤＲＸ非アクティブタイマーの開始位置に基づいて、ケース３は様々なＤＲＸ非アクティブタイマーの終了位置を含む。さらに、ＤＲＸ非アクティブタイマーは整数（ＴＩＮＴＩＡ）値または浮動小数点（ＴＦＬＴＩＡ）値で構成され得るので、様々なＤＲＸ非アクティブタイマーの終了位置はそれぞれ、以下のように、図３Ａおよび３Ｂ、ならびに図４Ａおよび４Ｂを参照して説明される。
【００７３】
図３Ａおよび図３Ｂは、本出願の例示的な実施形態による、ＴＩＮＴＩＡで構成される様々なＤＲＸ非アクティブタイマーの終了時間位置を示すサブフレーム構造を示す概略図である。図３Ａおよび図３Ｂに示す例のように、サブフレームは４つのスロットを含み、ＵＥはスロットベースのスケジューリングによって構成され、各スロット内のＰＤＣＣＨ内のＣＯＲＥＳＥＴを監視するように構成される。ＰＤＣＣＨは、各スロットの開始時にあってもよい。または、ＰＤＣＣＨは、各スロットに対して基地局によってスロット内のどこかに半静的に割り当てられてもよい。本実施形態では図３Ａおよび図３Ｂを参照すると、ＰＤＣＣＨは各スロットの開始時に割り当てられ、ＤＲＸ非アクティブタイマーはＴＩＮＴＩＡ＝１ｍｓで構成される。異なるＤＲＸ非アクティブタイマーの構成値では、結果が異なり得ることに留意されたい。図３Ａに示されるように、ＵＥに対するＤＣＩ３２０は、サブフレームＮのスロット０で受信される。上記のケース２で説明した、トリガされるＤＲＸ非アクティブタイマーの様々な開始時間位置に基づいて、ＤＣＩ３２０によってトリガされるＤＲＸ非アクティブタイマーのいくつかの対応する終了時間位置がある。
【００７４】
一実施形態では、ＤＲＸ非アクティブタイマーは、サブフレームＮ＋１（スロットがＤＣＩ送信を示してからＴＩＮＴＩＡ）におけるスロット０のＣＯＲＥＳＥＴの終了直後で、例えば、図３Ａに示される位置３９８Ａで、終了することがある。
【００７５】
一実施形態では、ＤＲＸ非アクティブタイマーは、サブフレームＮ＋１におけるスロット０（スロットがＤＣＩ送信を示してからＴＩＮＴＩＡにあるスロット）のＰＤＣＣＨの終了後で、例えば、図３Ａに示される位置３９８Ｂで、終了することがある。
【００７６】
一実施形態では、ＤＣＩはＤＣＩ送信と同じスロット内のデータの受信／送信を指示するが、ＤＲＸ非アクティブタイマーは、スロット（（ＤＣＩ送信を示すスロットのＴＩＮＴＩＡ後にある）サブフレームＮ＋１におけるスロット０）内で、例えば図３Ａに示される位置３９８Ｃで、終了することがある。
【００７７】
一実施形態では、ＤＣＩはＤＣＩ送信と同じスロット内のデータの受信／送信を指示するが、ＤＲＸ非アクティブタイマーは、スロット（（ＤＣＩ送信を示すスロットのＴＩＮＴＩＡ後にある）サブフレームＮ＋１におけるスロット０）の終了時で、例えば図３Ｂに示される位置３９８Ｃ´で、終了することがある。
【００７８】
一実施形態では、ＤＲＸ非アクティブタイマーは、スロット（例えば、（ＤＣＩ送信を示すスロットのＴＩＮＴＩＡ後にある）サブフレームＮ＋１内のスロット０）の終了時で、例えば図３Ａに示される位置３９８Ｄで、終了することがある。
【００７９】
一実施形態では、ＤＲＸ非アクティブタイマーは、サブフレーム（例えば、（ＤＣＩ送信を示すサブフレームのＴＩＮＴＩＡ後にある）サブフレームＮ＋１）の終了時で、例えば図３Ａに示される位置３９８Ｅで、終了することがある。
【００８０】
一実施形態では、ＤＣＩが連続したスロットデータの受信／送信（例えば、サブフレームＮのスロット０およびスロット１）を指示するが、ＤＲＸ非アクティブタイマーは、ＣＯＲＥＳＥＴ（例えば、サブフレームＮ＋１のスロット１）内で、例えば図３Ｂに示される位置３９８Ｆで、終了することがある。
【００８１】
一実施形態では、ＤＣＩがクロススロットデータの受信／送信（例えば、サブフレームＮのスロット０およびスロット２）を指示するが、ＤＲＸ非アクティブタイマーは、スロット（例えば、サブフレームＮ＋１のスロット１）内で、例えば図３Ｂに示される位置３９８Ｇで、終了することがある。
【００８２】
位置３９８Ｃ、３９８Ｃ´、３９８Ｆ、および３９８Ｇについて、ＤＲＸ非アクティブタイマーの終了時間は、データ受信／送信の長さに依存する。すなわち、ＤＲＸ非アクティブタイマーがデータ送受信の終了直後に開始する場合、ＤＲＸ非アクティブタイマーの終了時間は図３Ａおよび図３Ｂに示すように、データ受信／送信の長さに依存する。
【００８３】
図４Ａおよび図４Ｂは、本出願の例示的な実施形態による、ＴＦＬＴＩＡで構成される様々なＤＲＸ非アクティブタイマーの終了時間位置を示すサブフレーム構造を示す概略図である。
【００８４】
本実施形態では図４Ａおよび図４Ｂを参照すると、ＤＲＸ非アクティブタイマーはＴＦＬＴＩＡ＝０．５ｍｓで構成される。異なるＤＲＸ非アクティブタイマーの構成値では、結果が異なり得ることに留意されたい。図４Ａに示されるように、ＵＥに対するＤＣＩ４２０は、サブフレームＮのスロット０で受信される。上記のケース２で説明した、トリガされるＤＲＸ非アクティブタイマーの様々な開始時間位置に基づいて、ＤＣＩ４２０によってトリガされるＤＲＸ非アクティブタイマーのいくつかの対応する満了時間位置がある。
【００８５】
一実施形態では、ＤＲＸ非アクティブタイマーは、サブフレームＮにおけるスロット２（ＤＣＩ送信を示すスロットのＴＦＬＴＩＡ後にあるスロット）のＣＯＲＥＳＥＴの終了直後で、例えば図４Ａに示される位置４９８Ａで、終了することがある。
【００８６】
一実施形態では、ＤＲＸ非アクティブタイマーは、サブフレームＮにおけるスロット２（ＤＣＩ送信を示すスロットのＴＦＬＴＩＡ後にあるスロット）のＰＤＣＣＨの終了時で、例えば図４Ａに示される位置４９８Ｂで、終了することがある。
【００８７】
一実施形態では、ＤＣＩはＤＣＩ送信と同じスロット内のデータの受信／送信を指示するが、ＤＲＸ非アクティブタイマーは、スロット（（ＤＣＩ送信を示すスロットのＴＦＬＴＩＡ後にある）サブフレームＮにおけるスロット２）内で、例えば図４Ａに示される位置４９８Ｃで、終了することがある。
【００８８】
一実施形態では、ＤＣＩはＤＣＩ送信と同じスロット内のデータの受信／送信を指示するが、ＤＲＸ非アクティブタイマーは、スロット（（ＤＣＩ送信を示すスロットのＴＦＬＴＩＡ後にある）サブフレームＮにおけるスロット２）の終了時で、例えば図４Ｂに示される位置４９８Ｃ´で、終了することがある。
【００８９】
一実施形態では、ＤＲＸ非アクティブタイマーは、スロット（例えば、（ＤＣＩ送信を示すスロットのＴＦＬＴＩＡ後にある）サブフレームＮにおけるスロット２）の終了時で、例えば図４Ａに示される位置４９８Ｄで、終了することがある。
【００９０】
一実施形態では、ＤＲＸ非アクティブタイマーは、スロット（例えば、（ＤＣＩ送信を示すスロットのＴＦＬＴＩＡ後にある）サブフレームＮ＋１におけるスロット１）の終了時で、例えば図４Ａに示される位置４９８Ｅで、終了することがある。
【００９１】
一実施形態では、ＤＣＩが連続したスロットデータの受信／送信（例えば、サブフレームＮのスロット０およびスロット１）を指示するが、ＤＲＸ非アクティブタイマーは、ＣＯＲＥＳＥＴ（例えば、サブフレームＮのスロット３）内で、例えば図４Ｂに示される位置４９８Ｆにおいて、終了することがある。
【００９２】
一実施形態では、ＤＣＩがクロススロットデータの受信／送信（例えば、サブフレームＮのスロット０およびスロット２）を指示するが、ＤＲＸ非アクティブタイマーは、スロット（例えば、サブフレームＮ＋１のスロット０）内で、例えば図４Ｂに示される位置４９８Ｇにおいて、終了することがある。
【００９３】
位置４９８Ｃ、４９８Ｃ´、４９８Ｆ、および４９８Ｇについて、ＤＲＸ非アクティブタイマーの終了時間は、データ受信／送信の長さに依存する。すなわち、ＤＲＸ非アクティブタイマーがデータ送受信の終了直後に開始する場合、ＤＲＸ非アクティブタイマーの満了時間は図４Ａおよび図４Ｂに示すように、データ受信／送信の長さに依存する。
【００９４】
ケース４：ＤＲＸ非アクティブタイマー終了時のＵＥの動作。
【００９５】
図５は、本出願の例示的な実施形態による、ＤＲＸ非アクティブタイマーの終了のための様々な時間間隔を示すサブフレーム構造を示す概略図である。
【００９６】
グラフ５００において、区域ＡはＣＯＲＥＳＥＴ５１０が出現するまでのスロット０の時間間隔である。区域Ａはスロット０の開始時から開始し、ＣＯＲＥＳＥＴ５１０の開始時で終わる。この時間間隔の長さは（ＣＯＲＥＳＥＴ−ｓｔａｒｔ−ｓｙｍｂ）＊シンボル長である。
【００９７】
グラフ５００において、区域Ｂは、ＣＯＲＥＳＥＴ５１０の時間間隔である。この時間間隔の長さは、（ＣＯＲＥＳＥＴ−ｔｉｍｅ−ｄｕｒａｔｉｏｎ）＊シンボル長である。
【００９８】
グラフ５００において、区域Ｃは、ＣＯＲＥＳＥＴ５１０の出現後のＰＤＣＣＨの時間間隔である。それは、区域Ｃが、ＣＯＲＥＳＥＴの終了時から開始し、ＰＤＣＣＨ５１２の終了時で終了することを意味する。この時間間隔の長さは、ＰＤＣＣＨの長さから区域ＡおよびＢの時間長を引いたものである。
【００９９】
グラフ５００において、区域Ｄは、ＰＤＣＣＨの後の、スロットの時間間隔であり、それは、ＰＤＣＣＨ５１２の終了時から開始し、スロット０の終了時で終了する。ここで、スロット０は、まさしく、ＵＥによって受信されるＤＣＩを含んでいる。
【０１００】
グラフ５００において、区域Ｅは、スロット０の終了時から開始し、スロットＮの終了時で終了するＰＤＣＣＨを有するスロット０を除外したスロットの時間間隔である。
【０１０１】
区域Ａの場合、ＵＥは、以下の可能なタイミングでＰＤＣＣＨ／ＣＯＲＥＳＥＴ監視を停止するように構成され得る：
１．ＤＲＸ非アクティブタイマーが終了した直後の終了時；
２．前回のスロットの終了時；
３．このスロットのＣＯＲＥＳＥＴの終了時；
４．このＰＤＣＣＨの終了時；
５．このスロットの終了時；
６．ＵＥが非スロットベースのスケジューリングのためのＣＯＲＥＳＥＴ構成で構成され、このスロットが非スロットベースのスケジューリングのためのＣＯＲＥＳＥＴを含む場合、このスロットの終了時；
７．このスロットが他のＣＯＲＥＳＥＴ（複数可）を含む場合、このスロットの終了時；
８．このサブフレームの終了時；
９．ＵＥが非スロットベースのスケジューリングのためのＣＯＲＥＳＥＴ構成で構成され、このサブフレームが非スロットベースのスケジューリングのためのＣＯＲＥＳＥＴを含む場合、このサブフレームの終了時；
１０．このサブフレームが他のＣＯＲＥＳＥＴ（複数可）を含む場合、このサブフレームの終了時。
【０１０２】
区域Ｂの場合、ＵＥは、以下の可能なタイミングでＰＤＣＣＨ／ＣＯＲＥＳＥＴ監視を停止するように構成され得る：
１．このスロットのＣＯＲＥＳＥＴの終了時；
２．このＰＤＣＣＨの終了時；
３．このスロットの終了時；
４．ＵＥが非スロットベースのスケジューリングのためのＣＯＲＥＳＥＴ構成で構成され、このスロットが非スロットベースのスケジューリングのためのＣＯＲＥＳＥＴを含む場合、このスロットの終了時；
５．このスロットが他のＣＯＲＥＳＥＴ（複数可）を含む場合、このスロットの終了時；
６．このサブフレームの終了時；
７．ＵＥが非スロットベースのスケジューリングのためのＣＯＲＥＳＥＴ構成で構成され、このサブフレームが非スロットベースのスケジューリングのためのＣＯＲＥＳＥＴを含む場合、このサブフレームの終了時；
８．このサブフレームが他のＣＯＲＥＳＥＴ（複数可）を含む場合、このサブフレームの終了時。
【０１０３】
区域Ｃの場合、ＵＥは、以下の可能なタイミングでＰＤＣＣＨ／ＣＯＲＥＳＥＴ監視を停止するように構成され得る：
１．このＰＤＣＣＨの終了時；
２．このスロットの終了時；
３．ＵＥが非スロットベースのスケジューリングのためのＣＯＲＥＳＥＴ構成で構成され、このスロットが非スロットベースのスケジューリングのためのＣＯＲＥＳＥＴを含む場合、このスロットの終了時；
４．このスロットが他のＣＯＲＥＳＥＴ（複数可）を含む場合、このスロットの終了時；
５．このサブフレームの終了時；
６．ＵＥが非スロットベースのスケジューリングのためのＣＯＲＥＳＥＴ構成で構成され、このサブフレームが非スロットベースのスケジューリングのためのＣＯＲＥＳＥＴを含む場合、このサブフレームの終了時；
７．このサブフレームが他のＣＯＲＥＳＥＴ（複数可）を含む場合、このサブフレームの終了時。
【０１０４】
区域ＤおよびＥの場合、ＵＥは、以下の可能なタイミングでＰＤＣＣＨ／ＣＯＲＥＳＥＴ監視を停止するように構成され得る：
１．このスロットの終了時；
２．ＵＥが非スロットベースのスケジューリングのためのＣＯＲＥＳＥＴ構成で構成され、このスロットが非スロットベースのスケジューリングのためのＣＯＲＥＳＥＴを含む場合、このスロットの終了時；
３．このスロットが他のＣＯＲＥＳＥＴ（複数可）を含む場合、このスロットの終了時；
４．このサブフレームの終了時；
５．ＵＥが非スロットベースのスケジューリングのためのＣＯＲＥＳＥＴ構成で構成され、このサブフレームが非スロットベースのスケジューリングのためのＣＯＲＥＳＥＴを含む場合、このサブフレームの終了時；
６．このサブフレームが他のＣＯＲＥＳＥＴ（複数可）を含む場合、このサブフレームの終了時。
【０１０５】
図１、２、および５は、ＣＯＲＥＳＥＴ１１０、２１０、および５１０が、それぞれＰＤＣＣＨ１１２、２１２、および５１２に含まれることを示している一方で、他の実施形態では、ＣＯＲＥＳＥＴ１１０、２１０、および５１０は、ＵＥがＰＤＣＣＨ１１２、２１２、および５１２をそれぞれ位置特定することを可能にするリソース（たとえば、時間および周波数）割り当て情報を含むことができることに留意されたい。そのような場合、ＣＯＲＥＳＥＴ１１０、２１０、および５１０は、それぞれＰＤＣＣＨ１１２、２１２、および５１２に含まれなくてもよい。
【０１０６】
図６は、本出願の例示的な実施形態による、ＵＥによるフローチャートである。図６では、フローチャート６００が動作６８２、６８４、６８６、６８８、６９０、６９２、および６９４を含む。
【０１０７】
動作６８２では、ＵＥは、受信回路によって、ＤＲＸ開始オフセット（ｄｒｘ−Ｓｔａｒｔ  Ｏｆｆｓｅｔ）およびＤＲＸスロットオフセット（ｄｒｘ−Ｓｌｏｔ  Ｏｆｆｓｅｔ）を有する無線リソース制御（ＲＲＣ）メッセージを受信する。
【０１０８】
動作６８４では、ＵＥは、処理回路によって、ｄｒｘ−ＳｔａｒｔＯｆｆｓｅｔに基づいて開始サブフレームを決定する。
【０１０９】
動作６８６では、ＵＥは、処理回路によって、ｄｒｘ−ＳｌｏｔＯｆｆｓｅｔに基づいて開始サブフレーム内のＤＲＸオン持続時間（ｄｒｘ−ｏｎＤｕｒａｔｉｏｎ）タイマーの開始時間を決定する。
【０１１０】
動作６８８では、短ＤＲＸサイクルが使用されるとき、ＵＥは、処理回路によって、システムフレーム番号（ＳＦＮ）、サブフレーム番号、および短ＤＲＸサイクル（ｄｒｘ−ＳｈｏｒｔＣｙｃｌｅ）が受信されるとき、［（ＳＦＮ×１０）＋サブフレーム番号］ｍｏｄｕｌｏ（ｄｒｘ−ＳｈｏｒｔＣｙｃｌｅ）＝（ｄｒｘ−ＳｔａｒｔＯｆｆｓｅｔ）ｍｏｄｕｌｏ（ｄｒｘ−ＳｈｏｒｔＣｙｃｌｅ）のときに、開始サブフレームの開始からのｄｒｘ−ＳｌｏｔＯｆｆｓｅｔの後にｄｒｘ−ｏｎＤｕｒａｔｉｏｎＴｉｍｅｒを開始する。
【０１１１】
動作６９０では、長ＤＲＸサイクルが使用されるとき、ＵＥは、処理回路によって、システムフレーム番号（ＳＦＮ）、サブフレーム番号、および長ＤＲＸサイクル（ｄｒｘ−ＬｏｎｇＣｙｃｌｅ）が受信されるとき、［（ＳＦＮ×１０）＋サブフレーム番号］ｍｏｄｕｌｏ（ｄｒｘ−ＬｏｎｇＣｙｃｌｅ）＝ｄｒｘ−ＳｔａｒｔＯｆｆｓｅｔのときに、開始サブフレームの開始からのｄｒｘ−ＳｌｏｔＯｆｆｓｅｔの後のＤｕｒａｔｉｏｎＴｉｍｅｒを開始する。
【０１１２】
動作６９２では、ＵＥは、受信回路によって、物理的ダウンリンク制御チャネル（ＰＤＣＣＨ）を介した新しい送信の指示を受信する。
【０１１３】
動作６９２では、ＵＥは、処理回路によって、ＰＤＣＣＨの終了後の一番目のシンボルにおいてＤＲＸ非アクティブタイマー（ｄｒｘ−Ｉｎａｃｔｉｖｉｔｙ  Ｔｉｍｅｒ）を開始する。
【０１１４】
図７は、本出願の様々な態様に係る、無線通信のためのノードのブロック図を示す。図７に示すように、ノード７００は、トランシーバ７２０、プロセッサ７２６、メモリ７２８、１つまたは複数の表示コンポーネント７３４、および少なくとも１つのアンテナ７３６を備える。ノード７００はまた、ＲＦスペクトル帯域モジュール、基地局通信モジュール、ネットワーク通信モジュール、およびシステム通信管理モジュール、入力／出力（Ｉ／Ｏ）ポート、Ｉ／Ｏコンポーネント、および電源（図７には明示的に示されていない）を含み得る。これらの構成要素のそれぞれは、１つまたは複数のバス７４０を通じて、直接または間接的に、互いに通信することができる。一実施形態において、ノード７００は、例えば、図１から図６を参照して本明細書中に説明した様々な機能を実行するＵＥまたは基地局であり得る。
【０１１５】
（送信回路を有する）送信機７２２および（受信回路を有する）受信機７２４を備えるトランシーバ７２０は、時間および／または周波数リソース分割情報を送信および／または受信するように構成され得る。いくつかの実施形態において、トランシーバ７２０は、使用可能、使用不可能、および柔軟に使用可能なサブフレームおよびスロットフォーマットを含むが、これらに限定されない、異なるタイプのサブフレームおよびスロットで送信するように構成され得る。トランシーバ７２０は、データおよび制御チャネルを受信するように構成され得る。
【０１１６】
ノード７００は、様々なコンピュータ読み取り可能媒体を備えることができる。コンピュータ読み取り可能媒体は、ノード７００によってアクセスすることができ、揮発性および不揮発性媒体、リムーバブルおよび非リムーバブル媒体の両方を含む、任意の利用可能な媒体とすることができる。限定ではなく例として、コンピュータ読み取り可能媒体は、コンピュータ記憶媒体および通信媒体を含み得る。コンピュータ記憶媒体は、コンピュータ読み取り可能命令、データ構造、プログラムモジュール、または他のデータなどの情報を記憶するための任意の方法または技術で実装される、揮発性および不揮発性、リムーバブルおよび非リムーバブル媒体の両方を含む。
【０１１７】
コンピュータ記憶媒体は、ＲＡＭ、ＲＯＭ、ＥＥＰＲＯＭ（登録商標）、フラッシュメモリまたは他のメモリ技術、ＣＤ−ＲＯＭ、デジタル多用途ディスク（ＤＶＤ）または他の光ディスク記憶装置、磁気カセット、磁気テープ、磁気ディスク記憶装置または他の磁気記憶装置を含む。コンピュータ記憶媒体は、伝播データ信号を含まない。通信媒体は、典型的には、コンピュータ読み取り可能命令、データ構造、プログラムモジュール、または他のデータを、搬送波または他のトランスポート機構などの変調データ信号で具現化し、任意の情報配信媒体を含む。用語「変調されたデータ信号」は、その特性のうちの１つまたは複数が、信号内の情報を符号化するように設定または変更された信号を意味する。限定ではなく例として、通信媒体は、有線ネットワークまたは直接有線接続などの有線媒体と、音響、ＲＦ、赤外線、および他の無線媒体などの無線媒体とを含む。上記のいずれかの組合せも、コンピュータ読み取り可能媒体の範囲内に含まれるべきである。
【０１１８】
メモリ７２８は、揮発性および／または不揮発性メモリの形態のコンピュータ記憶媒体を含むことができる。メモリ７２８は、取り外し可能、取り外し不能、またはそれらの組み合わせであってもよい。例示的なメモリは、ソリッドステートメモリ、ハードドライブ、光ディスクドライブなどを含む。図７に示すように、メモリ７２８は、実行されると、プロセッサ７２６（例えば、処理回路）に、例えば、図１から図６を参照して本明細書で説明する様々な機能を実行させるように構成されたコンピュータ読み取り可能でコンピュータ実行可能命令７３２（例えば、ソフトウェアコード）を格納することができる。あるいは、命令７３２は、プロセッサ７２６によって直接実行可能ではなく、ノード７００に（例えば、コンパイルされ実行されるときに）本明細書で説明される様々な機能を実行させるように構成されてもよい。
【０１１９】
プロセッサ７２６は、インテリジェントハードウェアデバイス、例えば、中央処理装置（ＣＰＵ）、マイクロコントローラ、ＡＳＩＣなどを含み得る。プロセッサ７２６は、メモリを含み得る。プロセッサ７２６は、メモリ７２８から受信したデータ７３０および命令７３２、ならびにトランシーバ７２０、ベースバンド通信モジュール、および／またはネットワーク通信モジュールを介した情報を処理することができる。プロセッサ７２６は、また、アンテナ７３６を介して、コアネットワークへの送信のためにネットワーク通信モジュールに送信するために、トランシーバ７２０に送信されるべき情報を処理することもできる。
【０１２０】
１つまたは複数の表示コンポーネント７３４は、個人または他のデバイスにデータ表示を提示する。例示的な表示コンポーネント７３４は、表示デバイス、スピーカー、印刷コンポーネント、振動コンポーネントなどを含む。
【０１２１】
上記の説明から、様々な技術が、これらの概念の範囲から逸脱することなく、本出願で説明される概念を実行するために使用され得ることが明らかである。さらに、概念は、特定の実施形態を特に参照して説明されてきたが、当業者は、それらの概念の範囲から逸脱することなく、形態および詳細において変更を行うことができることを認識するであろう。したがって、説明された実施形態は、すべての点において、例示的なものであり、限定的なものではないと考えられるべきである。また、本出願は、上述の特定の実施形態に限定されるものではなく、本開示の範囲から逸脱することなく、多くの再構成、修正、および置換が可能であることを理解されたい。
【図面の簡単な説明】
【０１２２】
【図１】本出願の例示的な実施形態による、様々なオン持続時間タイマーの開始時間位置を示すフレーム構造を示す概略図である。
【図２】本出願の例示的な実施形態による、データスケジューリングを伴い、様々なＤＲＸ非アクティブタイマーの開始時間位置を示すフレーム構造を示す概略図である。
【図３Ａ】本出願の例示的な実施形態による、ＴＩＮＴＩＡで構成される様々なＤＲＸ非アクティブタイマーの終了時間位置を示すサブフレーム構造を示す概略図である。
【図３Ｂ】本出願の例示的な実施形態による、ＴＩＮＴＩＡで構成される様々なＤＲＸ非アクティブタイマーの終了時間位置を示すサブフレーム構造を示す概略図である。
【図４Ａ】本出願の例示的な実施形態による、ＴＦＬＴＩＡで構成される様々なＤＲＸ非アクティブタイマーの終了時間位置を示すサブフレーム構造を示す概略図である。
【図４Ｂ】本出願の例示的な実施形態による、ＴＦＬＴＩＡで構成される様々なＤＲＸ非アクティブタイマーの終了時間位置を示すサブフレーム構造を示す概略図である。
【図５】本出願の例示的な実施形態による、ＤＲＸ非アクティブタイマーの終了のための様々な時間間隔を示すサブフレーム構造を示す概略図である。
【図６】本出願の例示的な実施形態による、ＤＲＸ動作のためのＵＥによる方法を示すフローチャートである。
【図７】本出願の例示的な実施形態による、無線通信のためのノードを示すブロック図である。
【図１】
2021500777.tif 000005
【図２】
2021500777.tif 000006
【図３Ａ】
2021500777.tif 000007
【図３Ｂ】
2021500777.tif 000008
【図４Ａ】
2021500777.tif 000009
【図４Ｂ】
2021500777.tif 000010
【図５】
2021500777.tif 000011
【図６】
2021500777.tif 000012
【図７】
2021500777.tif 000013
【国際調査報告】
2021500777.tif 000014
2021500777.tif 000015